(57)【特許請求の範囲】
【請求項１】
患者が看護師を呼び出す為のナースコール子機と、呼び出しを表示する廊下灯と、患者からの呼び出しに応答するためのナースコール親機と、機器間の通信を制御する制御機とを有するナースコールシステムであって、
ナースコール親機で応答する看護師や医師のＩＤ情報を入手するＩＤ情報入手手段と、
入手したＩＤ情報から応答者を判別する判別手段と、
患者からの呼び出しに対する応答履歴を記憶する応答履歴記憶手段と、
前記判別した応答者情報と、呼出操作した患者の患者情報とを前記応答履歴記憶手段に記憶制御する履歴制御部とを備え、
前記ＩＤ情報入手手段は、応答操作が成されてから終話操作されるまでＩＤ情報の入手を継続すると共に、判別手段は入手したＩＤ情報を基に応答者の判別を継続することを特徴とするナースコールシステム。
【請求項２】
患者が看護師を呼び出す為のナースコール子機と、呼び出しを表示する廊下灯と、患者からの呼び出しに応答するためのナースコール親機と、機器間の通信を制御する制御機とを有するナースコールシステムであって、
ナースコール親機で応答する看護師や医師のＩＤ情報を入手するＩＤ情報入手手段と、
入手したＩＤ情報から応答者を判別する判別手段と、
患者からの呼び出しに対する応答履歴を記憶する応答履歴記憶手段と、
前記判別した応答者情報と、呼出操作した患者の患者情報とを前記応答履歴記憶手段に記憶制御する履歴制御部とを備え、
前記ＩＤ情報入手手段が、ＩＣチップ内蔵のＩＤカードと、そのＩＤ情報を受信するＩＤ受信装置で構成されるＲＦ−ＩＤであることを特徴とするナースコールシステム。
【請求項３】
音声情報を文字情報に変換する音声／文字変換部を有し、前記履歴制御部は、前記ナースコール子機及び前記ナースコール親機間で通話した内容を前記応答履歴とともに応答履歴記憶手段に記憶制御することを特徴とする請求項１又は２記載のナースコールシステム。
【発明の詳細な説明】
【技術分野】
【０００１】
本発明はナースコールシステムに関し、特にナースコール子機からの呼び出しに対してナースコール親機から応答した場合に記憶される応答履歴情報に関する。
【背景技術】
【０００２】
ナースコールシステムでは、ナースコール子機操作により患者からの呼び出しが発生したら、ナースコール親機又は看護師が携行する携帯端末で応答することで対応し、その後応答した看護師、或いは担当看護師が病室に赴き対応していた（例えば、特許文献１参照）。
このような携帯端末を備えたナースコールシステムにおいては、誰がどの携帯端末を携行しているか、更に個々の患者に対する担当看護師の情報が予めシステム内に記憶されているため、ナースコール子機からの呼び出しに対して担当看護師が携帯端末で直接応答することができ、看護師は担当患者を責任をもって看護することができた。
【特許文献１】特開２０００−２２４３２１号公報
【発明の開示】
【発明が解決しようとする課題】
【０００３】
しかし、携帯端末のないシステムや携帯端末を備えていても担当看護師が応答できない状況にある場合には、ナースコール親機から担当看護師以外が応答する場合が発生する。このような場合、患者に対する処置や担当看護師への連絡が不十分となる場合があった。
このような問題が発生しないようにするためには、ナースコール親機で応答した場合に通話内容を記録として残す必要があるが、この作業は応答者が手書きでメモをとるか、通話が終了した時点でパーソナルコンピュータ等を用いて入力する等の作業となるため、看護業務に負担がかかる虞があった。
【０００４】
そこで、本発明はこのような問題点に鑑み、ナースコール親機で応答する場合でも応答した人物を特定して応答履歴に残すことができ、更にその応答した内容も文字情報に変換して保存するナースコールシステムを提供することを目的とする。
【課題を解決するための手段】
【０００５】
上記課題を解決する為に、請求項１に記載の発明は、患者が看護師を呼び出す為のナースコール子機と、呼び出しを表示する廊下灯と、患者からの呼び出しに応答するためのナースコール親機と、機器間の通信を制御する制御機とを有するナースコールシステムであって、ナースコール親機で応答する看護師や医師のＩＤ情報を入手するＩＤ情報入手手段と、入手したＩＤ情報から応答者を判別する判別手段と、患者からの呼び出しに対する応答履歴を記憶する応答履歴記憶手段と、前記判別した応答者情報と、呼出操作した患者の患者情報とを前記応答履歴記憶手段に記憶制御する履歴制御部とを備え、前記ＩＤ情報入手手段は、応答操作が成されてから終話操作されるまでＩＤ情報の入手を継続すると共に、判別手段は入手したＩＤ情報を基に応答者の判別を継続することを特徴とする。
この構成によれば、患者からの呼び出しに対してナースコール親機で応答しても誰が応答したか認識して記憶するので、応答履歴から応答者も判別でき、問題発生時に対処し易くなる。
また、応答操作中に応答する看護師等が交替しても、交替した応答者も認識することができ、詳細な履歴を記憶できる。
【０００６】
請求項２の発明は、患者が看護師を呼び出す為のナースコール子機と、呼び出しを表示する廊下灯と、患者からの呼び出しに応答するためのナースコール親機と、機器間の通信を制御する制御機とを有するナースコールシステムであって、ナースコール親機で応答する看護師や医師のＩＤ情報を入手するＩＤ情報入手手段と、入手したＩＤ情報から応答者を判別する判別手段と、患者からの呼び出しに対する応答履歴を記憶する応答履歴記憶手段と、前記判別した応答者情報と、呼出操作した患者の患者情報とを前記応答履歴記憶手段に記憶制御する履歴制御部とを備え、前記ＩＤ情報入手手段が、ＩＣチップ内蔵のＩＤカードと、そのＩＤ情報を受信するＩＤ受信装置で構成されるＲＦ−ＩＤであることを特徴とする。
この構成によれば、患者からの呼び出しに対してナースコール親機で応答しても誰が応答したか認識して記憶するので、応答履歴から応答者も判別でき、問題発生時に対処し易くなる。
また、別途ＩＤ認証のために手を所定場所に押し付けたりする動作が必要なく、応答操作を遅らせたり応答者に新たな負担が発生するようなことがない。
【０００７】
請求項３の発明は、請求項１又は２に記載の発明において、音声情報を文字情報に変換する音声／文字変換部を有し、前記履歴制御部は、前記ナースコール子機及び前記ナースコール親機間で通話した内容を前記応答履歴とともに応答履歴記憶手段に記憶制御することを特徴とする。
この構成によれば、応答者の情報に加えて通話内容も記憶されるので、応答履歴から通話内容も文字情報で確認できる。よって、通話内容を別途記載する作業を省くことができるし、問題発生時に更に対処し易くなる。
【発明の効果】
【０００９】
本発明によれば、患者からの呼び出しに対してナースコール親機で応答しても誰が応答したか認識できる。よって、応答履歴に応答者の情報も加えることができ、問題発生時に対処し易くなる。また、通話内容を文字情報として保存するので、通話内容を別途記載する作業を省くことができるし通話内容も文字により把握し易い。
【発明を実施するための最良の形態】
【００１０】
以下、本発明を具体化した実施の形態を、図面に基づいて詳細に説明する。図１は、本発明に係るナースコールシステムの一例を示す構成であり、１（１ａ，１ｂ）は患者が看護師を呼び出す為に個々のベッドやトイレ等に設置されたナースコール子機、２は病室毎に設置されて患者からの呼び出しを表示する廊下灯、３は患者からの呼び出しに応答するためにナースステーションに設置されたナースコール親機、４は機器間の通信を制御する制御機、５は患者情報・医療情報等を管理するオーダリングシステム、６はオーダリングシステム５から患者情報等を入手して蓄積するナースコールサーバ、７は看護師が携行して患者からの呼び出しに応答するための携帯端末、８は携帯端末７と通信する基地局、９は携帯端末７との通信を制御するＰＢＸ交換機、１０は看護師や医師が携行してＩＤ情報を発信するためのＩＤカードである。
【００１１】
ナースコール子機１は病室毎に廊下灯２に子機伝送線Ｌ１で接続され、廊下灯２は廊下灯伝送線Ｌ２により制御機４に接続されている。一方、ナースコール親機３は親機伝送線Ｌ３で制御機４に接続されると共に、サーバ通信線Ｌ４でナースコールサーバ６に接続されている。また、ＰＢＸ交換機９は交換機通信線Ｌ５で制御機４に接続され、ナースコールサーバ６はオーダリングシステム通信線Ｌ６でオーダリングシステム５に接続されている。
【００１２】
図２はナースコール親機３のブロック図を示している。この図２に示すように、患者情報等を表示するＬＣＤから成る親機表示部１３、表示を制御するＬＣＤコントローラ１４、患者情報記憶部１５、マイク及びスピーカを備えた通話部１６、応答情報を記録する看護情報記録部１７、看護師や医師のＩＤ情報を記憶するＩＤ情報記憶部１８、ナースコール親機３を制御するＣＰＵ（親機ＣＰＵ）１９、制御機４及びナースコールサーバ６と通信するためのインターフェース（親機ＩＦ）２０、ＩＤカード１０が発信するＩＤ情報を受信するＩＤ受信部２１、通話音声を文字情報に変換する音声／文字変換部２２を備えている。
【００１３】
尚、ＩＤカード１０はＩＤ情報を発信するＩＣチップを内蔵したカード、ＩＤ受信部２１はリーダライタであり、双方でＲＦ−ＩＤを成し、ＩＤ受信部２１が発信する問い合わせ信号を受けてＩＤカード１０はＩＤ信号を発信するよう構成されている。そして、双方の通信距離は１メートル程度とすることで、応答者が携行しているＩＤカード１０をＩＤ受信部２１に翳したり押し当てたりする操作をすることなくＩＤ認証が実施可能となる。
また、患者情報記憶部１５には、患者の名前、性別、年齢、救護区分、感染症情報、外泊／在室／外出情報等が記憶され、これらの情報は通常、オーダリングシステム５から送信されるが、別途ナースコールサーバ６やナースコール親機３でも編集可能となっている。
【００１４】
このように構成されたナースコールシステムは次のように動作する。患者がナースコール子機１を呼出操作すると、呼出信号が廊下灯２、制御機４を介してナースコール親機３に送信され、ナースコール親機３で呼出音が鳴動する。同時に、制御機４からＰＢＸ交換機９に呼出信号が伝送され、基地局８を介して看護師が携行する携帯端末７に呼び出しがかかる。尚、携帯端末７への呼び出しは、チームナーシング、プライマリーナーシングが考慮され、呼出操作したナースコール子機１（に関連付けられた患者）に関連付けられた看護師グループ、或いは担当看護師が携行している携帯端末７を呼び出すように設定されている。
【００１５】
この呼び出しを受けて携帯端末７で応答操作すれば、携帯端末７とナースコール子機１との間で通話路が形成されて応答できるし、ナースコール親機３で応答操作すれば、ナースコール親機３とナースコール子機１との間で通話路が形成されて応答できる。この動作のうち、携帯端末７による応答動作については従来と同様であるので省略し、以下ナースコール親機で応答する場合について説明する。
【００１６】
ナースコール子機１が操作されて、ナースコール親機３で呼び出しが開始されると、ＩＤ受信部２１が起動して、ＩＤ情報の受信を開始する。呼び出しを受けてナースコール親機３で応答しようと看護師がナースコール親機３に近づくと、ナースコール親機３に設けられたＩＤ受信部２１から発信される問い合わせ信号により、看護師が携行しているＩＤカード１０に内蔵されているＩＣチップからＩＤ情報が発信される。この信号がＩＤ受信部２１で受信され、看護師のＩＤがナースコール親機３で受信され、応答者のＩＤを受信した親機ＣＰＵ１９は、ＩＤ情報記憶部１８を参照して応答者を認識する。
こうして応答者を認識した親機ＣＰＵ１９は、制御機４に通話路形成信号を送信して通話路を形成し、ナースコール子機１とナースコール親機３の間で通話が可能となる。
通話路形成後、親機ＣＰＵ１９は看護師が応答した情報を応答履歴として看護情報記録部１７に記録制御し、日時、呼出元、応答看護師の情報等が保存される。
【００１７】
更に、ナースコール子機１−ナースコール親機３間の通話路形成により、患者と看護師との間で通話が行われると、この音声がナースコール親機３の音声／文字変換部２２にて文字情報に変換され、通話路が形成されている間の音声を文字情報に変換して応答履歴に関連付けられて看護情報記録部１７に記憶される。尚、この音声／文字変換の技術は公知であり、例えば特開平１１−５５６１４号公報、或いは特開平１１−１４３４８７号公報の技術が適用できる。
【００１８】
また、ＩＤ受信部２１は通話中もＩＤ受信動作を継続し、途中で応答する看護師が交替した場合はそれを認識し、今誰が通話しているのかを判別できるよう構成されており、このような場合は応答履歴として複数の看護師が応答したことが記録される。そして、こうして記録された応答履歴は、看護情報記録部１７の読み出し操作によりナースコール親機３で閲覧して確認することができる。
【００１９】
このように、患者からの呼び出しに対してナースコール親機で応答しても誰が応答したか応答履歴に応答者の情報が加わるので、問題発生時に対処し易くなる。また、応答者の情報に加えて通話内容も文字情報で確認できるので、通話内容を別途記載する作業を省くことができるし、通話内容を把握し易く問題発生時に対処し易い。
また、応答操作中に応答する看護師等が交替しても、交替した応答者も認識することができ、詳細な履歴を記憶できるし、応答者の認証は別途手を所定場所に押し付けたりする動作が必要なく、応答操作を遅らせたり応答者に新たな負担が発生するようなことがない。
【００２０】
尚、この実施形態では、応答時のＩＤ認証を通話路形成前に実施し、ＩＤ認証が成されてから応答動作するよう制御しているが、通話中にＩＤ認証を併行して実施しても良い。また、通常の呼び出しとは異なる緊急呼出の呼出操作が成された場合は、その後対応が成されるのは明らかであるため応答履歴自体を残しておく必要性が少ない。そのため、ＩＤ認証なしで通話路形成の制御を行っても良い。
更に、ＩＤ受信部をナースコール親機の筐体内に設けているが、ナースコール親機と別体とし、受信したＩＤ情報から応答者を判別する判別手段と共に構成しても良い。この場合、従来のナースコール親機３の構成を大きく変更すること無くシステムを構成することが可能となる。
また、応答者を認証する手段としてＲＦ−ＩＤを用いているが、指紋認証や静脈認証等の生体認証を使用しても良く、個人を特定できるものであれば使用できる。
【図面の簡単な説明】
【００２１】
【図１】本発明に係るナースコールシステムの実施形態の一例を示す構成図である。
【図２】図１のナースコール親機のブロック図である。
【符号の説明】
【００２２】
１・・ナースコール子機、３・・ナースコール親機、４・・制御機、１０・・ＩＤカード、１６・・通話部、１７・・看護情報記録部（応答履歴記憶手段）、１８・・ＩＤ情報記憶部、１９・・親機ＣＰＵ（判別手段、履歴制御部）、２１・・ＩＤ受信部（ＩＤ受信装置）、２２・・音声／文字変換部。
【図１】
0004971064.tif 000002
【図２】
0004971064.tif 000003